Podtech/llm-jp-corpus-v4-ja_patent huggingface dataset:
(57)【要約】【課題】着座時に滑ることと、着座時の冷たさによる不快感を解消しながらも、美観及び利便性に優れた浴用椅子を提供すること。【解決手段】本考案による浴用椅子１は、本体部３と本体部３に固定された着座部２を含み、着座部２の材質がスポンジである浴用椅子である。着座部２の表面にはジャージ加工が施されていてもよく、着座部２が一以上の溝４を有していてもよい。【選択図】図１
0003112506.tif 000002
【実用新案登録請求の範囲】
【請求項１】
本体部と前記本体部に固定された着座部を含み、前記着座部の材質がスポンジである、浴用椅子。
【請求項２】
前記着座部の表面にジャージ加工が施された、請求項１に記載の浴用椅子。
【請求項３】
前記着座部が一以上の溝を有する、請求項１又は２に記載の浴用椅子。
【考案の詳細な説明】
【技術分野】
【０００１】
本考案は、入浴用品に関し、特に、浴用椅子に関する。
【背景技術】
【０００２】
入浴中に体を洗う際に腰掛けるための浴用椅子については、合成樹脂（主にポリプロピレン）製の一体成型されたものが広く販売、使用されている。この合成樹脂製の浴用椅子の最大の欠点は、着座時に滑ることと、冷たさによる不快感が存在することである。
【０００３】
上記欠点を解消すべく、浴用椅子上に置いて使用するためのマットが既に開示されているが、高湿である風呂場においては、マットが浴用椅子から滑ってずれることがままあるため、かかるマットを使用することは、浴用椅子単体で使用する場合に比べて著しく利便性を欠く。そのため、浴用椅子上に置いて使用するためのマットは余り普及していないのが現状である。
【０００４】
また、従来販売されている浴用椅子の形状は大人用、子供用共に画一的であり、特に子供用製品について子供の目を引くような美観を有しないという問題もある。
【特許文献１】特開２００４−３０５６６８公報
【考案の開示】
【考案が解決しようとする課題】
【０００５】
本考案が解決しようとする課題は、着座時に滑ることと、着座時の冷たさによる不快感を解消しながらも、美観及び利便性に優れた浴用椅子を提供することである。
【課題を解決するための手段】
【０００６】
本考案による浴用椅子は、本体部と前記本体部に固定された着座部を含み、前記着座部の材質がスポンジであることにより、上記課題を解決する。
【０００７】
前記着座部の表面にはジャージ加工が施されていてもよい。
【０００８】
前記着座部が一以上の溝を有していてもよい。
【考案の効果】
【０００９】
本考案の浴用椅子は、座面のスポンジ状部材によって着座時の滑り及び冷たさによる不快感を解消し、これにより使用者の座り心地を格段に向上させる。また、座面のスポンジ状部材と椅子本体が一体となった構成であるため、従来のマットを浴用椅子上に置いて使用する場合に比べ、マットと椅子の位置のズレや分離が起こらず、結果として使用者に高い利便性を提供する。さらに、座面のスポンジ状部材に各種の加工を施すことによって、浴用椅子全体の美観を向上させることができる。
【考案を実施するための最良の形態】
【００１０】
以下、図面を参照しながら本考案の実施の形態について説明する。
【００１１】
図１は、本考案による浴用椅子１の斜視図である。浴用椅子１は、使用者が臀部を乗せるための着座部２と、椅子本体である本体部３を含む。
【００１２】
着座部２の材質は、滑りを防止すると共に使用者に感じさせる冷たさを軽減するものであり、好適には合成樹脂又は各種ゴム製のスポンジである。具体的には、着座部２の材質は、ポリウレタン、ウレタンゴム、シリコンゴム、フッ素ゴム、天然ゴム又はこれらの混合物等から構成されたスポンジであるが、これらに限られない。着座部２は、滑りを防止し冷たさを軽減するものであれば、スポンジでない合成樹脂又はゴム製部材であってもよい。
【００１３】
着座部２の表面には、ジャージ加工が施されていることが望ましい。着座部２には、水はけを良くするため、また美観を向上させるために溝４が彫られていても良い。溝４の形状は任意であり、図１に示した形状はその一例である。また、着座部２が溝４を有しないものも本考案の範囲に含まれる。なお、着座部２及び溝４の色彩は任意である。
【００１４】
本体部３の材質は、合成樹脂、木材等の耐久性及び対荷重性を有する各種の材料であり得る。好適には、本体部３の材質は、従来の浴用椅子と同様にポリプロピレン等の合成樹脂である。なお、本体部３の色彩は任意である。
【００１５】
図２は、本考案による浴用椅子１の断面図である。図２に示す通り、着座部２は本体部３の上部の座面にあって、浴用椅子１の使用時に使用者の臀部が着座部２の表面に接するように配置されている。
【００１６】
着座部２と本体部３は、通常の使用において掛かる力によっては分離しないように互いに固定されている。着座部２と本体部３の固定の方法には、接着剤による接着のほか、着座部２と本体部３の一方又は両方の接触面を溶融することによる溶着がある。また、前記接着及び溶着の効果を補助するため、着座部２及び本体部３の接触面にそれぞれ一以上の係合手段が設けられていてもよい。
【００１７】
図１及び図２に示した浴用椅子の形状は一例であり、着座部が本体部の上部の座面に配置されたものであれば、任意の形状の浴用椅子が本考案の範囲に含まれ得る。特に、着座部に設ける溝の形状と浴用椅子全体の形状に工夫を凝らすことにより、例えば花、小動物、スポーツ用ボールを形取ったものなど、美観が向上した浴用椅子を提供することも可能である。
【産業上の利用可能性】
【００１８】
浴用椅子及びこれ以外の各種椅子に利用することができる。具体的には、子供用室内椅子、踏み台等に利用可能である。
【図面の簡単な説明】
【００１９】
【図１】本考案による浴用椅子の斜視図である。
【図２】本考案による浴用椅子の断面図である。
【符号の説明】
【００２０】
１  浴用椅子
２  着座部
３  本体部
４  溝
【図１】
0003112506.tif 000003
【図２】
0003112506.tif 000004
(57)【要約】【課題】構造が簡単でしかも堅牢であって破損し難く、指の太さ，長さ等が多少異なっても十分適合できる外反母趾予防矯正履物であって、足の血行を促進し、健康増進する効果のある履物を提供することを目的とする。【解決手段】足指と足の甲部を覆う上カバー２と底板１からなる履物において、足の第１指と第２指の間に略Ｖ字状開先３を設け、略Ｖ字状開先３はその開いた状態が保持できるよう硬質の素材で形成されている。  また、底板の上面の足指部，土踏まず部及びかかと部に足裏経穴（ツボ）押え４，５，６を複数設け、足裏経穴（ツボ）押え４，５，６はマグネット球が用いられている。【選択図】図１
0003112502.tif 000002
【実用新案登録請求の範囲】
【請求項１】
足指と足の甲部を覆う上カバーと底板とからなる履物において、足の第１指と第２指の間に略Ｖ字状の開先を設け、略Ｖ字状開先はその開いた状態が保持できるよう硬質の素材で形成されていることを特徴とする外反母趾防止用健康履物。
【請求項２】
底板の上面の足指部，土踏まず部及びかかと部に足裏経穴押えを複数設けたことを特徴とする請求項１記載の外反母趾防止用健康履物。
【請求項３】
足裏経穴押えはマグネット球が用いられていることを特徴とする請求項１又は請求項２記載の外反母趾防止用健康履物。
【考案の詳細な説明】
【技術分野】
【０００１】
本考案は、足の第１指（親指）の変形を予防し、また変形した第１指を矯正するとともに、足の血行を促進させて健康を増進させることができる外反母趾防止用健康履物に関するものである。
【背景技術】
【０００２】
外反母趾の予防矯正用サンダルとして、足部の第１指と第２指の間に挿入具が挿入されて、足部の第１指と第２指を押し広げるものが出願されている（特許文献１参照。）。また、足指調整用スリッパとして、足の親指と人指し指との間に挟み込み、両指をＶ字形に広げる突起部を設ける考案が開示されている（特許文献２参照。）。さらに、サンダル様スリッパとして、先端に球体を有する茎部からなる突出体を複数個設け、足指を突出体間に挿入させるものも出願されている（特許文献３参照。）。また、サンダルの底板の上面、前端部に足の五指を別々に挿入させられる筒状部を放射状に設けるものも開示されている（特許文献４参照。）。
【０００３】
【特許文献１】実願平８−４３６４号，登録第３０３１４２４号公報
【特許文献２】実願平９−２９９号，登録第３０４９４４１５号公報
【特許文献３】実願平１１−２２２６号，登録第３０６２８６９号公報
【特許文献４】特開2002-３４５５０１号公報
【０００４】
足指間に挿入具（特許文献１），突起部（特許文献２），又は突出体（特許文献３）をそれぞれ挿入させるものは、前記挿入具，突起部又は突出体に歩行中強く負荷がかかったりするとこれらの茎部である底板への取付部で折損するおそれがあり、あるいは長期間使用する間にこれら挿入具等が疲労のため破損するおそれがある。また、足の五指を挿入する筒状部（特許文献４）を設けたものは、指の大きさと筒状部の形態が適合しないと履き心地が悪く、また外反母趾の予防・矯正効果が十分に発揮できなくなるおそれがある。また外反母趾防止用の履物で、足裏経穴（ツボ）を刺激するよう工夫されたものはなかった。
【考案の開示】
【考案が解決しようとする課題】
【０００５】
本考案が解決しようとする課題は、構造が簡単でしかも堅牢であって破損し難く、指の太さ、長さ等が多少異なっても十分適合できる外反母趾予防矯正履物であって、足の血行を促進し健康増進する効果のある履物を提供することである。
【課題を解決するための手段】
【０００６】
請求項１記載の考案は、足指と足の甲部を覆う上カバーと底板とからなる履物において、足の第１指と第２指の間に略Ｖ字状の開先を設け、略Ｖ字状の開先はその開いた状態が保持できるよう硬質の素材で形成されていることを特徴とする外反母趾防止用履物である。
略Ｖ字状の開先を形成する硬質の素材としては、プラスチック又は硬質ゴム等を用い、略Ｖ字状に成形したものを上カバー及び底板に熱圧着又は接着する。
【０００７】
請求項２記載の考案は、底板の上面の足指部，土踏まず部及びかかと部に足裏経穴（ツボ）押えを複数設けたことを特徴とする請求項１記載の外反母趾防止用健康履物である。足の血行を促進し、健康増進をはかるためである。
【０００８】
請求項３記載の考案は、足裏経穴（ツボ）押えはマグネット球が用いられていることを特徴とする請求項１又は請求項２記載の外反母趾防止用健康履物である。球による物理的刺激のほかに、磁気による血行促進をはかるためである。
【考案の効果】
【０００９】
Ｖ字状開先で足の第１指及び第２指の間隔を拡げることで外反母趾を予防又は矯正することができる。さらに底板表面に足裏経穴（ツボ）押えを複数設けたことで足裏経穴（ツボ）を刺激し、血行を促進して健康を増進させる効果が期待できる。
【考案を実施するための最良の形態】
【００１０】
本考案を実施するための最良の形態を、実施例を示す図面に基づいて説明する。図１は本考案の外反母趾防止用健康履物の斜視図であって、屋外で使用する場合の形態を示した。
底板１の上面には、足指と足の甲部を覆うように上カバー２が取付けられている。上カバーはズック，革，ゴム又は柔軟プラスチック等の素材で作られている。
底板１と上カバー２の先端は足の第１指と第２指の間が拡がるよう略Ｖ字状開先３が形成されている。
【００１１】
底板１の上面には指先部，土踏まず部及びかかと部にそれぞれ足裏経穴（ツボ）押え４，５，６が設けられている。足裏経穴（ツボ）押え４，５，６はそれぞれ、マグネット貼布テープ７とマグネット球で構成され、底板１の上面に貼着されている。
【００１２】
底板１は革，ゴム又はプラスチック等で形成され、上面には底板１より軟質の素材からなるインソール８が貼合わせてある。
【００１３】
図２は、本考案の外反母趾防止用健康履物であって屋内で使用するスリッパの斜視図である。屋内で使用することから、底板１を薄くしても良く、又、上カバー２が図１の場合とほぼ同じか若干短くなるようにしても良い。
【００１４】
図３は、本考案の外反母趾防止用健康履物の使用状態を示す要部断面図である。略Ｖ字状開先３はプラスチック又は硬質ゴム等で成形され、略Ｖ字状の形状が保てるようになっていて、足９の第１指と第２指の間が略Ｖ字状に開いた状態で保持されるようになっている。略Ｖ字状開先３は上カバー２と底板１に熱圧着又は接着されている。
【図面の簡単な説明】
【００１５】
【図１】外反母趾防止用健康履物の斜視図である。（屋外用）
【図２】外反母趾防止用健康履物の斜視図である。（屋内用）
【図３】外反母趾防止用健康履物の要部断面図である。
【符号の説明】
【００１６】
１  底板
２  上カバー
３  略Ｖ字状開先
４  足裏経穴（ツボ）押え（足指部）
５  足裏経穴（ツボ）押え（土踏まず部）
６  足裏経穴（ツボ）押え（かかと部）
７  マグネット貼付テープ
８  インソール
９  足
【図１】
0003112502.tif 000003
【図２】
0003112502.tif 000004
【図３】
0003112502.tif 000005
(57)【要約】      （修正有）【解決手段】アクセサリーの主体となる宝石以外の部品である、木製の漆器等による部品あるいは樹脂製等の部品２と宝石１を、木製の漆器等による部品あるいは樹脂製等の部品２に貫通させ結合することとした。【効果】アクセサリーを構成する部品が効率的に結合され、短時間での製作を可能とすること、及びアクセサリーが本来具備すべき外見上の美観を損なうことなく効果的に製作することが可能となる。【選択図】図１
0003113368.tif 000002
【実用新案登録請求の範囲】
【請求項１】
木製の漆器等による部品あるいは樹脂製等の部品と宝石を結合し、アクセサリーを形成する上で、イヤリングあるいはブローチに使用される金属製あるいは樹脂製等の部品を使用して結合することを特徴とする宝飾品アクセサリー。
【考案の詳細な説明】
【技術分野】
【０００１】本考案は、アクセサリーの主体となる宝石以外の部品である、木製の漆器等による部品あるいは樹脂製等の部品と宝石を、アクセサリーであるイヤリングあるいはブローチ等に使用される金属製あるいは樹脂製等の部品を、木製の漆器等による部品あるいは樹脂製等の部品に貫通させ結合することを特徴とする新規の宝飾品アクセサリーに関するものである。
【背景技術】
【０００２】従来、アクセサリーは、木製あるいは樹脂製等の部品と宝石の結合は、接着剤を使用するあるいは、木製あるいは樹脂製の部品の回りを金属製の部品を使用して包む等の方法により行っている。
【考案の開示】
【考案が解決しようとする課題】
【０００３】木製あるいは樹脂製の部品と宝石の結合は、接着剤を使用するあるいは、木製あるいは樹脂製等の部品の回りを金属製の部品を使用して包む等の方法により行なわれているが、アクセサリーの構造によっては、前記の方法による結合が困難な場合があった。
【課題を解決するための手段】
【０００４】上記の課題を解決するために、本考案では、アクセサリーの主体となる宝石以外の部品である、木製の漆器等による部品あるいは樹脂製等の部品と宝石を、アクセサリーであるイヤリングあるいはブローチ等に使用される金属製あるいは樹脂製等の部品を、木製の漆器等による部品あるいは樹脂製等の部品に貫通させ結合することとした。
【考案の効果】
【０００５】本考案により、アクセサリーを構成する部品が効率的に結合され、短時間での製作を可能とすること、及びアクセサリーが本来具備すべき外見上の美観を損なうことなく効果的に製作することが可能となる。
【実施例】
【０００６】本考案になる漆器等と宝石を結合したアクセサリーを、図面に示す具体的な実施例にもとづいて説明する。【０００７】図１はアクセサリーの主体となる宝石以外の部品である、木製の漆器等による部品あるいは樹脂製等の部品と宝石を、アクセサリーであるイヤリングあるいはブローチ等に使用される金属製あるいは樹脂製等の部品を、木製の漆器等による部品あるいは樹脂製等の部品に貫通させ結合させたアクセサリーである。【０００８】図１に示すアクセサリーは、アクセサリーの主体となる宝石（１）、宝石以外の部品である、木製の漆器等あるいは樹脂製等の部品（２）及びそれらを結合する金属製あるいは樹脂製等の部品（３）により構成される。
【図面の簡単な説明】
【０００９】
【図１】図１は、本考案によるアクセサリーの正面図である。
【符号の説明】
【００１０】１  アクセサリーの主体となる宝石
２  宝石以外の部品である、木製の漆器等あるいは樹脂製の部品
３  金属製あるいは樹脂製等の部品
【図１】
0003113368.tif 000003
(57)【要約】      （修正有）【課題】クレジットカード又はキャッシュカードから発生する磁気情報を遮断する手段として、カードを非鉄金属箔の収納袋型ケース内で電磁波遮断させるスキミング防止装置を提供する。【解決手段】紙、布又は樹脂フイルムを用いた素材にアルミニューム、銅等の非鉄金属箔を被着又は非鉄金属粉をスパッターして電磁波遮断素材とし、該素材を両面に具備させキャッシュカード大の袋物に成型してなることを特徴とする。【選択図】図１
0003113366.tif 000002
【実用新案登録請求の範囲】
【請求項１】
紙、布又は樹脂フイルムを用いた素材にアルミニューム、銅等の非鉄金属箔を被着又は非鉄金属粉をスパッターして電磁波遮断素材とし、該素材を両面に具備させキャッシュカード大の袋物に成型してなることを特徴とするスキミング防止カード用収納ケース。
【考案の詳細な説明】
【技術分野】
【０００１】  本考案は、クレジットカード又はキャッシュカードから発生する磁気情報を遮断する手段として、カードを非鉄金属箔の収納袋型ケース内で電磁波遮断させるスキミング防止装置に関する。
【背景技術】
【０００２】  スキミング被害の未然防止策として非接触式として、革財布又は名刺入れにステンレス板アルミ板を内包させてカードからの電磁波を遮断させる技術はすでにある。然しこの種の商品は市場では少量でスキミング被害を解消するまでに至っていない。【０００３】  しからば、問題になっているスキミング被害を最大限に減少させるシステムは、カード発行会社が本考案のカード収納ケースと共に顧客に配布携帯させる方法が最も有効である。それには、軽量で価格が安く簡便な構成が望ましい。
【考案の開示】
【考案が解決しようとする課題】
【０００４】  解決しようとする問題点は、如何に多くのカードが通常ならスキミング出来ないように保護されているかである。
【課題を解決するための手段】
【０００５】  本考案のスキミング防止用収納ケースは、電磁波によるカード情報又は遠赤外線のカード情報も含めアルミニュームによる遮断が有効である。カード発行会社が量産型で低コストに生産することが望ましい。最初からカードと共にユーザーに収納カバー付きで配布携帯させることが望ましい。
【考案の効果】
【０００６】  一般的にユーザーの過失による盗難の場合を除き、財布等に入れたカード被害は防止することができる。少なくともカード発行会社としてのスキミング防止策の効果は高い。
【考案を実施するための最良の形態】
【０００７】  本考案のカード収納ケースは、カードをスキミング被害から保護する役割と共に、カードカバーの側面に発行会社のネイミングを記載することで宣伝効果もあり最も有効である。
【実施例１】
【０００８】  本考案の実施の形態を実施例に基づき図１、図２を参照して説明する。
図１はカードケースの形態を示す側面図である。面２はＡーＡ断面図である。
構造は簡単でポリエチレン等の樹脂２にアルミペットの反面アルミニューム１側を全面ラミネートしてシート状に構成する。次ぎにカード袋大にカットする。構造的にはアルミＰＥＴ３面を両外側面にして折り畳み、アルミと樹脂とのラミネート側を内面にし袋状に両側面及び底辺をヒートシール４してケースが完成する。その他構造上布を表面材に被着したりメーカー名を印刷することも可能とする。
【産業上の利用可能性】
【０００９】  本考案のカード用収納ケースは、主に金融機関のキャッシュカード又は信販会社のクレジットカードに適応される。
【図面の簡単な説明】
【００１０】
【図１】    収納ケースの側面図である。
【図２】    ＡーＡ断面図である。
【符号の説明】
【００１１】        １…アルミニューム
２…樹脂
３…アルミＰＥＴ
４…ヒートシール
【図１】
0003113366.tif 000003
【図２】
0003113366.tif 000004
(57)【要約】【課題】    本考案はゴムの板をサンドペーパーではさんで、かかとをスムーズに削りやすくした。【解決手段】    本考案はゴム２を、１の粗い目のサンドペーパーと３の細かい目のサンドペーパーではさんでかかとに沿いやすくして、早く簡単にしかも衛生的に処理しやすくしたものである。【選択図】    図１
0003113367.tif 000002
【実用新案登録請求の範囲】
【請求項１】
目の粗いのヤスリと目の細かいヤスリでゴムを挟み、使い捨てにできる衛生的なかかと角質層削り器
【考案の詳細な説明】
【技術分野】
【０００１】      本考案は、粗い目と細かい目のヤスリでゴムをはさんだ、かかと角質層削りにかんするものである。
【背景技術】
【０００２】      ２０年近く待っていたが今までこのようにヤスリで早くなめらかに削れるものがなかったので。
【考案の開示】
【考案が解決しようとする課題】
【０００３】    従来のものはかかとを削るのに時間がかかり、しかも削った後が滑らかになりにくく、ストッキングを伝線させやすかったので滑らかさを追求した。
【課題を解決するための手段】
【０００４】      本考案は、ヤスリで、かかとまわりの柔らかい皮膚を傷つけることなく画期的に角質層を取り除くことを解決している。
【考案の効果】
【０００５】      かかと削りにヤスリのものを使用することで、従来にない滑らかさを出しストッキングの伝線をしにくくした。
【考案を実施するための最良の形態】
【０００６】      かかとに沿いやすくするためサンドペーパーの間にゴムを入れた。
【実施例】
【０００７】      以下、添付図面に従って一実施例を説明する。１は粗い目のヤスリ、２はゴム、３は細かい目のヤスリである。
【産業上の利用可能性】
【０００８】
【０００９】      本考案の一実施例は上述の如き構成からなるものであるから、たいへん簡便でまた使い捨てに出来、衛生的である。
【図面の簡単な説明】
【００１０】
【図１】本考案のかかと角質層削り器の一実施例を示す正面図である
【図２】本かかと角質層削り器の一部切欠断面図である。
【符号の説明】
【００１１】    １  粗い目のヤスリ
２  ゴム
３  細かい目のヤスリ
【図１】
0003113367.tif 000003
【図２】
0003113367.tif 000004
(57)【要約】      （修正有）【課題】ラチェットレンチの頭部をハンマー等で叩いても、破損しにくいラチェットレンチを提供する。【解決手段】頭部に打撃受け部５を設ける。【選択図】図１
0003113364.tif 000002
【実用新案登録請求の範囲】
【請求項１】
ハンマーで叩ける部位を設けたことを特徴とするラチェットレンチ。
【考案の詳細な説明】
【技術分野】
【０００１】  本考案は、ラチェットレンチの頭部の形状に関する。
【背景技術】
【０００２】  従来のラチェットレンチは、図２に示すように、ボルト等締め付け治具２に、しの（針金等締め付け治具）３が設けられたものが一般的である。
【考案の開示】
【考案が解決しようとする課題】
【０００３】しかし、しの３を使用するさいに、作業上ラチェットレンチの頭部４をハンマーで叩いて使用する事がある。しかし、従来の技術によれば、ラチェットレンチの頭部４をハンマーで叩いて使用する事は想定されてなく、ボルト等締め付け治具２が破損する事があった。
そこで、この考案は、ハンマーで頭部を叩いても破損のしにくいラチェットレンチを提供することを課題とする。
【課題を解決するための手段】
【０００４】  以上の課題を解決するために、ラチェットレンチの頭部に打撃受け部５を設けたことを特徴とするラチェットレンチである。
【考案の効果】
【０００５】  本考案によれば、ラチェットレンチの頭部に打撃受け部を設けたので、ボルト等締め付け治具が破損しにくくなった。
【考案を実施するための最良の形態】
【０００６】  この考案の一実施形態を、図１に示す。
ラチェットレンチ本体１は鉄製であり、この本体１の頭部に鉄製の打撃受け部５が設けられている。【０００７】「実施形態の効果」
この実施形態によれば、ラチェットレンチの頭部に打撃受け部を設けたので、頭部をハンマーで叩いても、ボルト等締め付け治具が破損しなくなった。
【図面の簡単な説明】
【０００８】
【図１】この考案の一実施形態を示す斜視図である。
【図２】従来技術を示す斜視図である。
【符号の説明】
【０００９】１  ラチェットレンチ本体        ２  ボルト等締め付け治具
３  しの（針金等締め付け治具）  ４  ラチェットレンチの頭部
５  打撃受け部
【図１】
0003113364.tif 000003
【図２】
0003113364.tif 000004
(57)【要約】      （修正有）【課題】オモリ、テンビン、仕掛けが、岩の間に入り根掛り起こし道糸が切れるのを防止する。【解決手段】上方、水面６方向に浮上するフロート２と本体１を、オモリテンビン、仕掛け３と道糸４の間に取り付けることにより、岩５に入らず根掛りが、起きないので、道糸４の切れ防止に役立つ。【選択図】図１
0003113362.tif 000002
【実用新案登録請求の範囲】
【請求項１】
棒状の上方にフロートを取り付け本体の上下先端に、糸、オモリ、テンビン、仕掛けが取り付けられるようにした所を特徴とするフロート式根掛り防止釣り仕掛けである。
【考案の詳細な説明】
【技術分野】
【０００１】  本考案は、水中フロートを使用した、釣りの仕掛けに関するものである。
【背景技術】
【０００２】  釣糸の巻上げ時に、オモリ、テンビン、仕掛けが岩の間に入り根掛りを起こしていた。
【考案の開示】
【考案が解決しようとする課題】
【０００３】  釣糸の巻上げ時に、オモリ、テンビン、仕掛けが岩の間に入り根掛りを起こして、岩と接触した道糸が切れてしまうことがある。従って仕掛け等と道糸の接合部が岩の間に入らないように、フロートを使い上方、水面方向に向けた状態として、道糸が切れるのを防ぎ前述の欠点を解決しようとする。
【課題を解決するための手段】
【０００４】  本考案は、オモリ、テンビン、仕掛けと道糸の接合部を水中の中でフロートにより上方水面方向に向けて岩の間に入らないようにする。また、岩に接する部分は耐久性のある適宜素材を使用して、道糸が切れるのを防ぐことにより問題点を解決している。
【考案の効果】
【０００５】  上述の様に、本考案のフロート式根掛り防止釣り仕掛けは、フロートの使用により、仕掛け等が、岩の間に入らず道糸が岩に接する部分は耐久性のある適宜素材を使用することにより道糸の切れるのを防止して役立つ。
【考案を実施するための最良の形態】
【０００６】  本体は、細長い棒状で上下の先端は糸、オモリ、テンビン、仕掛けが取り付けられるようにする。フロート部分は、水、空気の抵抗を少なくするよう細長い形状とする。
【実施例】
【０００７】以下、添付図面に従って一実施例を説明する。岩５に接触する本体１は、耐久性のある適宜素材を使用して、フロート２により水中の道糸４を、上方、水面６方向に向けて岩５に接触しないようにした。本体１とオモリ、テンビン、仕掛け３を結ぶ脱着自在フック７によりオモリ、テンビン、仕掛け３は自由に方向を変えることができ、釣糸の巻上げ時に上方、水面６方向に引き上げられ、岩５に入らない。
【図面の簡単な説明】
【０００８】
【図１】本考案のフロート式根掛り防止釣り仕掛けの一実施例を示す正面図である。
【符号の説明】
【０００９】１  本体
２  フロート
３  オモリ、テンビン、仕掛け
４  道糸
５  岩
６  水面
７  脱着自在フック
【図１】
0003113362.tif 000003
(57)【要約】      （修正有）【課題】親１人で乳幼児を入浴させる際の幼児用入浴補助具の提供。【解決手段】浴槽に掛けるための伸び縮みのできる２本の棒を１の本体に６のネジで取付け浴槽に合わせ２と７の吸盤で動かないよう固定させ４の肘を乗せる部分にスポンジを貼り３のネットパンツを５のスナップボタンで取付け、縁が狭い浴槽には７の吸盤を８の支持具で対応する。【選択図】図２
0003113342.tif 000002
【実用新案登録請求の範囲】
【請求項１】
乳幼児が座るメッシュ製パンツを用いたシート部と、当該シート部を上方で結合し乳幼児を囲う囲い部と、乳幼児と係合し浴槽の形態に合わせて調節でき乳幼児の動きを安全に保つ支柱部材と、前記シート部と前記囲い部と前記支柱部とが装着され、浴槽上部両端に橋渡し設置面に接着力の強い吸盤又は支持具で固定する構造体を有し、乳幼児の成長に伴う体格に応じたサイズ変更可能な前記シート部と、乳幼児が入浴中に動いた時に前期囲い部から落下しないと共に前記構造体に転倒を生じさせない範囲であること特徴とする、親１人と乳幼児が入浴できる乳幼児用入浴補助具。
【考案の詳細な説明】
【技術分野】
【０００１】
本考案は、親１人が、乳幼児と入浴する時に乳幼児を安全に浴槽につからせる事ができる補助具であり、また、他の家族の手を借りずに入浴する事ができる乳幼児用入浴補助具に関するものである。
【背景技術】
【０００２】
乳幼児用入浴補助具としては、シート部と保護部とを設けた自立する構造体を有する浴用幼児保持装置等の提案が多数されているが（例えば特開平７−３２７８５５号公報参照）。しかしながら、この形式の補助具は乳幼児の動きにより水の浮力で安定感が欠け倒れる危険性がある。また、浴槽の中の場所をとり浴槽の形態により不向きな欠点もある。
【０００３】
一方、座部と保護部とを設けた構造体を浴槽の縁に係止する形式のものも多数提案されている（例えば実開平７−１８７号公報参照）。しかしながら、この形式の装置は浴槽の種類によっては使用できない場合がある、即ち、浴槽の縁が厚い場合や極端に薄い場合、浴槽の形態がカーブ状の曲線になったデザインの場合等には、係止部を浴槽の縁に係止できないこととなり、装置を使用できないことがある。更に、構造体が浴槽縁の壁状面に固定されるため、乳幼児の向きを変えることができず束縛感を与える。また親が洗髪の場合には不快感・不安感を与えて入浴を好まなくなる可能性がある。
【考案の開示】
【考案が解決しようとする課題】
【０００４】
本考案は、従来技術における上記問題を解決し、どのような形態や大きさの浴槽にも対応でき、乳幼児の安全性が確保されると共に、乳幼児に不快感・不安感を与えず楽しく入浴する乳幼児用入浴補助具を提供することを課題とする。
【課題を解決するための手段】
【０００５】
本考案は、上記課題を解決するために、乳幼児用入浴補助具は、乳幼児が座るメッシュ製パンツを用いたシート部と、該シート部を上方で結合し乳幼児を囲う囲い部と乳幼児と係合し浴槽の形態に合わせて調整で乳幼児の動きを安全に保つ支柱部材と前記シート部と前記囲い部と前記支柱部とが装着され、浴槽上部両縁に橋渡しし設置面に接着力の強い吸盤または支持具で固定する構造体を有し、乳幼児の成長に伴う体格に応じた、サイズ取替え可能な前記シート部と、乳幼児が入浴中に動いた時に前記囲い部から落下しないと共に前記構造体に転倒を生じさせない範囲であることを特徴とする。また、親１人と乳幼児が入浴できることを特徴とする。
【考案の効果】
【０００６】
本考案は、浴槽内の幅に応じた長さの調整できる２本の棒に、本体を固定する強力吸盤を取付け、浴槽の中で乳幼児の洗体も可能であるメッシュ製パンツで身体の安全性を保持し、乳幼児の安全性を保持し不快感を与えない補助具で乳幼児の洗体を終え、親の洗体・洗髪の際に安全な状態でお湯につからせ遊ばせることができる乳幼児用入浴補助具を提供しようとするものである。従って、親は乳幼児から離れて入浴でき、常に乳幼児に手を掛け乳幼児を入浴させた後に自分が入浴するという二度入浴から開放され、きわめて便利になる。また、手助けのない親達の悩みのたねを解決することが出来る。更に、どのような形状の浴槽に対しても適応でき、入浴が終われば片付け台に利用でき有効なスペースでの提供ができる。
【０００７】
本考案は、前後左右の向きがスナップボタンで簡単に変えられ乳幼児の動きが自由であると共に場所もとらない、5個の強力吸盤で本体を固定し、より安全である。
【考案を実施するための最良の形態】
【０００８】
上記目的を達成するために、乳幼児用入浴補助具は、一般家庭の浴槽形式や大きさに対応、ネジで幅の長さを調整し固定し、なお且つ強力吸盤の装着で本体を固定(縁が狭い浴槽には、支持具を取り付ける)する。スナップボタンにより向きを容易に変えられ乳幼児の不快感を解消する。パンツがネット製であり、寒い日は浴槽の中で乳幼児を洗体することも可能である。また、座部のメッシュ製パンツは乳幼児の体格により小・中・大とサイズの取替えができ成長著しい乳幼児への対応を可能としたものであり、脱着を容易にすることで洗濯が簡単にできる衛生面を考慮したものである。
【実施例】
【０００９】
以下、添付図面に従って一実施例を説明する。
１の本体は伸び縮みのできる強固な耐久性のあるプラスチック又はステンレス材質を使用する。
２と７は強力な吸盤5個で動かない様に固定する。
６は幅を調節するネジは錆びないステンレス材質を用い４の肘をのせる部位はプラスチックの上にスポンジを巻きつけ乳幼児の柔らかい皮膚を保護する。
３のメッシュ製パンツには５のスナップボタン１２個で外れることを防止すると共にステンレス材質を使用、スナップボタンの周りには補強テープでネットの弱い部分をカバーする。
【００１０】
本考案の一実施例は上述の如き構成からなるものであるから、既存の浴槽に合わせ調節し浴槽の上に橋渡し掛け固定するだけであるが、古い浴槽はふちが狭いため７の吸盤を８の支持具で対応する事にする。
【図面の簡単な説明】
【００１１】
【図１】本考案の実施例を示す正面図である。
【図２】本考案の斜視図である。
【図３】本考案の平面図（上）である。
【図４】本考案の側面図である。
【図５】取外しのメッシュ製パンツ図である。
【図６】本考案の正面図である。
【図７】支持具である。
【符号の説明】
【００１２】
１．本体
２．吸盤
３．メッシュ製パンツ
４．肘を乗せるスポンジ部
５．スナップボタン
６．幅調節ネジ
７．吸盤（ふちが狭い浴槽には支持具を取付ける）
８．支持具
【図１】
0003113342.tif 000003
【図２】
0003113342.tif 000004
【図３】
0003113342.tif 000005
【図４】
0003113342.tif 000006
【図５】
0003113342.tif 000007
【図６】
0003113342.tif 000008
【図７】
0003113342.tif 000009
(57)【要約】      （修正有）【課題】装置に内設された照明光源を利用して染色を施した布絵、和紙絵を展示、鑑賞する照明付表示装置の提供。【解決手段】箱２の前面にほぼ全面にわたる窓２１を設け、この窓には染色を施した布帛又は紙４をはさんだ透明又は半透明の２枚の板３１、３２をはめ込む様に構成されていて、この箱２の内に、照明する光源５ソケット１０が内設されている照明付表示装置１。【選択図】図１
0003113347.tif 000002
【実用新案登録請求の範囲】
【請求項１】
箱の前面にほぼ全面にわたる窓を設け、この窓には染色を施した布帛又は紙をはさんだ透明又は半透明の２枚の板をはめ込む様に構成されていて、この箱の内に照明する光源が内設されている事を特徴とする照明付表示装置。
【考案の詳細な説明】
【技術分野】
【０００１】本考案は装置に内設された照明光源を利用して、染色を施した布絵や紙を展示観賞する事に用いる照明付表示装置に関するものである。
〔背景技術〕【０００２】染色を施した布絵などの展示は、額装や表装して観賞する方法が主であり、単一的である。又明りを楽しむ照明器具は、光源周囲が固定されたものが多く、周囲を取り替えて、イメージを変化させられる機能のある物は、なく、単調なものが、主である。
〔考案の開示〕
〔考案が解決しようとする課題〕【０００３】額装、表装して、展示観賞する事が主流の染色物の画一的な、展示の仕様を、内設された光源を点灯、消灯して、展示観賞できるという方法をもちいる事が可能な装置で、展示物のイメージを多様に表現できる事で、単一さを解決しようとした。
〔課題を解決するための手段〕【０００４】本考案の照明付表示装置は、箱の前面に、ほぼ全面にわたる窓を設け、染色を施した展示物を透明の２枚の板ではさみ、前面窓にはめ込む様に構成されていて、この箱の内に照明する光源が内設されている事を特徴とする表示装置である。表示装置を用いて、通常の展示の様に消灯しての展示そして、点灯しての展示ができ前面窓にはめ込んだ透明板を半透明板に入れ替えられる事で、展示照明に多様性をもたせ、単調、単一な展示という問題を解決する事ができる。
〔考案の効果〕【０００５】本考案の照明付表示装置は、従来あまり知られていない、光を通して、染色物を観賞するという、新しい展示方法を提示できるものである。布絵、和紙絵などの染色物、主にロウケツ染を施した染色物を本装置に設置し、光源を点灯して観賞すると、通常光で見ていた時と、全くちがった、切り絵、影絵にある様な透明感のある美しい画面になり新しい美が生じるものである。そこで、本装置を使用する事により、染色絵の新しい表現、展示方法が、拡大され、新たな可能性を作り出す事に役立つものである。そして、この装置は、前面窓の展示物が、簡単に入れ替え可能になっており、２枚の透明板を半透明板に替えて、照明装置として使用する事もでき、インテリアとして多様に楽しめるものである。
〔考案を実施するための最良の形態〕【０００６】本考案は箱の前面に額様の窓をもちこの窓に２枚の透明板又は半透明板をはめ込んで使用する。この方式としては、展示物の絵の大小によって箱の作りも変えて制作するものであるが、基本方式として箱横より展示物をスライドさせて、出し入れする方法、箱上部より、２枚の板をスライドされて、展示物を出し入れする方法、その他、展示物の大きさの便宜上、額様前面窓と、箱部材と蝶結する形などもあり、形態においては、作品、展示物により、様々に構成する事ができる。【０００７】箱部材の内部に、設置する光源は、基本的には、電球を使用するが、発光ダイオード電球、その他光源も取り付け可能である【０００８】箱部材に放熱用にもなる、穴や彫刻を装飾的に施しておくと、照明器として使用する場合、点灯時に、美しいディスプレー効果も得られる。
〔実施例〕【０００９】以下添付図面に従って実施例を説明する。図１の照明付表示装置１は箱部材２で形成されており、展示物を横からスライドさせて出し入れする方式の全体図を示している。染色を施した布帛又は紙４を２枚の透明板３１、３２にはさんで前面窓２１にはめ込んで展示する。【０００１０】図１にあるソケット１０に取りつけた光源５に通電して点灯消灯して使用する。染色を施した布帛又は紙４を取りはずし、透明板３１を半透明板に差し変えると、照明装置として使用する事ができる。
〔産業上の利用可能性〕【０００１１】本考案の活用例として染色物の展示に装置内より点灯した光源を利用して観賞するという新しい展示を提示できる事と共に、本考案の表示装置は展示物の入れ替えが簡単である事により、展示の染色物画面に店名、ロゴマーク、案内などを染色して点灯すれば和風の照明看板、インテリア照明器としても活用できるものである。
【図面の簡単な説明】
【０００１２】〔図１〕本考案の照明付表示装置の実施例の一例を示す図である。
〔図２〕２枚の透明板に染色を施した布帛又は紙をはさみ込み装着する仕様を示す説明図である。
【符号の説明】
【０００１３】１．照明付表示装置
２．箱部材
３１．３２．透明板又は半透明板
４．染色を施した布帛又は紙
５．光源
１０．ソケット
２１．窓
【図１】
0003113347.tif 000003
【図２】
0003113347.tif 000004
(57)【要約】【課題】航空機等、長時間乗り物に座っていると、足の血管が圧迫され、血行不良となり足のむくみや血栓症が発生する、この予防具を提供する。【解決手段】  前席の背もたれやランチテーブルの足に、吊りベルトの上0003113346.tif 000010を乗せ使用する、血行を改善し血栓症（エコノミークラス症候群）の予防をする。【選択図】図１
0003113346.tif 000002
【実用新案登録請求の範囲】
【請求項１】
0003113346.tif 000009
高さはアジャスターにて調節する、携帯足乗せベルト具。
【考案の詳細な説明】
【考案の技術分野】
【０００１】この考案は、乗り物等の狭い空間で、前椅子の背もたれやランチテーブルの足部に、吊りベルトにより足乗せ板を吊るし、足を乗せて使用する、血栓症の予防具に関するものである。
【考案の背景技術】
【０００２】従来、航空機等の狭い空間では、血行を良くする為の、足乗せ等を備えていない物が多く、旅行者血栓症（エコノミークラス症候群）が発生している、尚航空会社では、機内誌等で、予防体操を紹介している。
【考案が解決しようとする課題】
【０００３】航空機等、長時間乗り物に座っていると、下肢における血液循環不足により、血行不良となり、足のむくみや血栓症（エコノミークラス症候群）が発生する。
【課題を解決するための手段】
【０００４】前席の背もたれやランチテーブルの足に、吊りベルト１を左右に掛け、
0003113346.tif 000003
せて使用する。以上を特徴とする血栓症対策具である。
【考案の効果】
【０００５】航空機等、狭い空間で長時間座っている時、足乗せに、足を乗せる事により、膝裏の血管の圧迫を緩和し血行を良くする事により、足のむくみや血栓症（エコノミークラス症候群）の発症を緩和する事ができる。
【考案を実施するための最良の形態】
【０００６】以下、本考案の実施の形態について説明する。
0003113346.tif 000004
５とネジ８にて取り付ける。
0003113346.tif 000005
（ニ）アジャスター３にて高さ調節して使用する、足乗せベルト。
本考案は以上のような構成で、これを使用するときは、前席の背もたれ
0003113346.tif 000006
ター３にて高さを調節し、血行の改善をはかり、血栓症（エコノミークラス症候群）の予防する為に、足を乗せ使用する。
収納時は、足乗せ板４は、中心部より二つに折り畳み、収納する。
【図面の簡単な説明】
【０００７】
【図１】本考案の斜視図である。
【図２】吊りベルトの平面図である。
【図３】足乗せ板の平面図である。
【図４】足乗せ板のＡ−Ｂ断面図である。
【符号の説明】
【０００８】１吊りベルト
0003113346.tif 000007
３アジャスター
４足乗せ板
５ナイロンベルト
0003113346.tif 000008
７木ネジ
８木ネジ
【図１】
0003113346.tif 000011
【図２】
0003113346.tif 000012
【図３】
0003113346.tif 000013
【図４】
0003113346.tif 000014
(57)【要約】      （修正有）【課題】幼児の衣服のボタンの係着操作を通じて、色の認知力、形の認知力、手先の繊細な制御力等の幼児の知育の向上を目的とした衣服の提供。【解決手段】幼児用衣服の上衣の左右両前合せ部の相対向する位置に取り付けられた互いに相対するボタンとボタンホールを同一の色とし、ボタンホール周囲の装飾をボタンと同一の色と形とし、且つ、上下隣接するものどうしは異なる色、異なる形としている知育衣服。【選択図】図１
0003113341.tif 000002
【実用新案登録請求の範囲】
【請求項１】
上衣の左右両前合わせ部の対向面に上下に所定間隔を置いて複数個のボタンを取り付け、ボタンは少なくとも上下隣接するものどうしは異なる形、異なる色とし、ボタンホールは相対するボタンとその色を同じくするように構成し、且つボタンホール周囲の装飾は、相対するボタンとその形と色とを同じくするように構成されてなることを特徴とする幼児の知育の向上を目的とした衣服。
【考案の詳細な説明】
【技術分野】
【０００１】本考案は、衣服のボタンの係着操作を通じた幼児の知育向上に関するものである。
【背景技術】
【０００２】従来、幼児の知育に関する考案は、知育玩具、学習教材など種々のものが提供されている。【０００３】ボタンの掛け違いを防ぐために、ボタンとそれぞれのボタンに対応するボタンホールを同色にする考案が提供されている。
特許出願平８−５２２９７
【考案の開示】
【考案が解決しようとする課題】
【０００４】本考案は、幼児の衣服のボタンの係着操作を通じて、色の認知力、形の認知力、手先の繊細な操作能力等の幼児の知育向上を目的とした衣服に関するものである。
【課題を解決するための手段】
【０００５】本考案は、幼児用衣服の上衣の左右両前合せ部の相対向する位置に取り付けられた互いに相対するボタンとボタンホールを同一の色とし、ボタンホール周囲の装飾をボタンと同一の色と形とし、且つ、上下隣接するものどうしは異なる色、異なる形としてあることを特徴としている。
【考案の効果】
【０００６】本考案の幼児用衣服は上述のように構成され、上衣の左右両前合せ部の相対向する位置に位置に取り付けられた互いに相対するボタンとボタンホールの色を同一の色とし、ボタンホール周囲の装飾をボタンと同一の色と形で、且つ、上下隣接するものどうしは異なる色、異なる形として縫着するように構成してなるので、幼児自身はボタンの色と形から上下掛け違いをすることなく簡単に係着することができる。その際、幼児はボタンの色や形を認知しながら係着することにより、色の認知力、形の認知力、手先の繊細な制御力等に関する知育の向上が可能となる。
【考案を実施するための最良の形態】
【０００７】図１は本考案を実施した幼児用衣服の上衣の正面図であり、この上衣１の左右両合せ部２、３の互いに対向する面には、それぞれ上下に所定の間隔を置いて同位置に異なる色、異なる形のボタン４ａ、４ｄ、４ｇ、４ｊが縫着されている。【０００８】このボタン４ａ、４ｄ、４ｇ、４ｊは上下に全て異なる色、異なる形のボタンを使用するか、少なくとも上下隣接するものどうしは異なる色、異なる形のボタンとし、かつ左右互いに所定位置で相対するボタン４ａ−ボタンホール４ｃ、ボタン４ｄ−ボタンホール４ｆ、ボタン４ｇとそれに相対するボタンホール、ボタン４ｊとそれに相対するボタンホールはそれぞれ同じ色としてある。
また、ボタン４ａ−ボタンホール周囲の装飾４ｂ、ボタン４ｄ−ボタンホール周囲の装飾４ｅ、ボタン４ｇとそれに相対するボタンホール周囲の装飾、ボタン４ｊとそれに相対するボタンホール周囲の装飾はそれぞれ同じ色、同じ形としてある。【０００９】ボタンホール周囲の装飾は、前合せ部２の片面だけでなく、両面に縫着して実施することも可能である。【００１０】ボタンとボタンホールとボタンホール周囲の装飾の色は、単色のものだけでなく、複合色や柄を彩色して実施することも可能である。【００１１】ボタンとボタンホール周囲の装飾の形は、幾何学模様のものだけでなく、デザインされた様々な形で実施することも可能である。
【図面の簡単な説明】
【００１２】
【図１】本考案の実施の形態を示す幼児用衣服の上衣の正面図である。
【図２】本考案の実施の形態を示す幼児用衣服の上衣の左右両前合せ部を拡大した斜視図である。
【符号の説明】
【００１３】１−幼児用上衣
２−前合せ部
３−前合せ部
４ａ−ボタン（正方形で赤色）
４ｂ−ボタンホール周囲の装飾（正方形で赤色）
４ｃ−ボタンホール（赤色）
４ｄ−ボタン（三角形で青色）
４ｅ−ボタンホール周囲の装飾（三角形で青色）
４ｆ−ボタンホール（青色）
４ｇ−ボタン（円形で黄色）
４ｈ−ボタンホール周囲の装飾（円形で黄色）
４ｉ−ボタンホール（黄色）
４ｊ−ボタン（六角形で緑色）
４ｋ−ボタンホール周囲の装飾（六角形で緑色）
４ｌ−ボタンホール（緑色）
【図１】
0003113341.tif 000003
【図２】
0003113341.tif 000004
(57)【要約】      （修正有）【課題】布製でできて風を通さず、保温力に優れてずり落ちないレッグウォーマーの提供。【解決手段】布製なので風を通さず、ずり落ちの為に内側に幅広のゴムを装着した。【選択図】図２
0003113381.tif 000002
【実用新案登録請求の範囲】
【請求項１】
ひざ下部分から足首までを保温し、ずり落ち防止の為の幅広ゴムを内側に取り付けた布地製レッグウォーマー。
【考案の詳細な説明】
【技術分野】
【０００１】本考案は、布地製で出来ているレッグウォーマーに関する。
【背景技術】
【０００２】従来のレッグウォーマーは毛糸を編んでいて、型も同じものだった。
【考案の開示】
【考案が解決しようとする課題】
【０００３】しかし、これでは寒い日や冷たい風が吹いた時など、編み目から冷たい風が入ってくる。保温力も少なく、ファッション性にも欠けていた。そしてずり落ちが気になり両手で持ち上げる状態だった。
【課題を解決するための手段】
【０００４】そこで毛糸を布地に変えてファッション性の有るものを考案した。布地製のレッグウォーマーは、冷たい風を通さず保温力を高める。内側に幅広ゴムを取り付けることによりずり落ちを防ぐ。くつ下を脱ぎ履きすると同じで着脱が簡単である。
【考案の結果】
【０００５】よって、本考案の布地製のレッグウォーマーにより、冷たい風を通さず又、ずり落ちず保温性が保てる。レッグウォーマーは布地製なので、汚れたら洗濯出来る。布地を変えることにより、いろいろな型や長さも調整出来る。ファッション性に富む。ブーツ感覚で履けて足の臭いも気にならない。
【考案を実施するための最良の形態】
【０００６】本考案に係る布製レッグウォーマーは図１に示すように図１膝から足首まで覆う、布製レッグウォーマーである。
図２
布製レッグウォーマーを広げた状態で内側の上部に輪の状態で前後にぬい付ける。
【図面の簡単な説明】
【０００７】
【図１】本考案に係る布製レッグウォーマーの全型図である。
【図２】本考案に係る布製レッグウォーマーの広げた図である。
【特長の説明】
【０００８】１    布製レッグウォーマー
２    幅広ゴム
３    ゴム止め
【図１】
0003113381.tif 000003
【図２】
0003113381.tif 000004
(57)【要約】      （修正有）【課題】舗装面に溝を切削する場合で直線の精度が重要な場合や、その溝が平行で溝の間隔が多様に変化するような場合に用いられる舗装溝切削機を提供する。【解決手段】従来の舗装切断機を直線用ガイドレールに備え付けてて切削直進性の精度を高め、溝が平行で、その間隔を多様に変化させることができるように平行移動制御装置の付いた台車に取りつけた、舗装溝切削機とした。【選択図】図１
0003113382.tif 000002
【実用新案登録請求の範囲】
【請求項１】
舗装路面に連続して切削される溝が正確な平行直線となるように平行移動制御装置の付いた台車に直線溝切削用ガイドレールを伴った舖装溝切削機。
【考案の詳細な説明】
【考案の詳細な説明】
【技術分野】  Ｆ０１機械工学・証明・加熱・武器・爆破
【考案が解決使用とする課題】
【０００１】  従来、舖装の路面で直線に溝を切削、切断する場合、マーキングによる位置の設定や添え板等により直線の施工が行われていた為、直線の精度や直線間の平行性において精度の良い、連続した施工を行うことは困難であった。
【０００２】  又、多盤式溝切削ドラムの使用により１工程で同間隔での複数本の平行な溝の施工は行えたが、連続で施工する場合などの精度はあまり良くなかった。
【０００３】  又、多盤式溝切削ドラムの使用により数種類の均等な溝間隔の施工は行えたが切削する溝の間隔を多様に変化させることはできなかった。
【０００４】  又、切削や切断する深さは一定てあり、路面等の様に表面の起伏に沿って施工することはできなかった。
【課題を解決する為の手段】
【０００５】  上記、課題を解決する為に、第１に直線の施工精度をよくする為に舖裝切削機を直線用ガイドレールに取付けた舖装切削機とした。
【０００６】  第２に溝の間隔を多様に変化させながら連続した平行作業が可能な平行移動制御装置を備えた台車に直線用ガイドレールを取付けた。
【０００７】  第３に切削や切断する深さが切断部表面の起伏に沿ってなされるよう切断刃の側に切断深さ調整車を備えた。
【考案の効果】
【０００８】  第１の解決する為の手段により舗装道路路面に切削される溝の直線が高い精度で切削できる。
【０００９】  第２の解決する為の手段により溝の間隔マーキングを必要とせず切削される直線が正確に平行な溝になる切削できる。
【００１０】  第３の解決する為の手段により切断部表面の起伏に沿って均一な深さの切削、切断が可能となる。
【考案を実施する為の最良の形態】
【００１１】  以下、本考案の実施の形態を図１〜図３に基づいて説明する。
【００１２】  図１において８は平行移動制御装置を備えた台車で、２の直線用ガイドレールを備えており、１の舗装切削機の正確な直線移動と平行移動を可能となる。
【００１３】  ９は切削深さ調整用車でありこの車の高さの調整により舗装路面の起伏の変化に対応しながら連続した均等な深さの切削が可能となる。
【図面の簡単な説明】
【図１】  直線用ガイドレール、及ひ平行移動用制御装置の付いた台車に付けられた舗装溝切削機の斜視図である
【図２】  直線用ガイドレール、及び平行移動用制御装置の付いた台車に付けられた舗装溝切削機の正面図である
【図３】  直線用ガイドレール、及び平行移動用制御装置の付いた台車に付けられた舗装溝切削機の側面図である
【符合の説明】
１，舗装切削機
２，直線用ガイドレール
３，舗装切削刃
４，切削刃駆動モーター
５，車輪
６，平行移動制御装置の付いた台車
７，切削深さ調整車
【図１】
0003113382.tif 000003
【図２】
0003113382.tif 000004
【図３】
0003113382.tif 000005
(57)【要約】      （修正有）【課題】本のカバーが変型しないようにする。【解決手段】本のカバー１の折込み２を、本の表紙のとじこみ３まで延長してカバーを変型しないようにした。【選択図】図２
0003113307.tif 000002
【実用新案登録請求の範囲】
【請求項１】
本の表紙のとじこみ３までカバーの折込み２を、延長させてカバーの折込み２の変型を防止する。
【考案の詳細な説明】
【考案の開示】
【考案が解決しようとする課題】
【０００１】従来、いわゆる本のカバーで、カバーは存在していたがこの種のカバーは本を使用することで、いつでもカバーが変型したりまるまったりという問題点を有していた。
【課題を解決するための手段】
【０００２】上記目的を達成するために、本のカバーの折込みを延長することにした。
【考案の効果】
【０００３】本の表紙のとじこみまでカバーを延長すれば、カバーのはしが本の表紙の奥にはさむことにより、変型しないよにした。
【図面の簡単な説明】
【０００４】
【図１】本とカバーの斜視図である。
【図２】本のカバーの平面図である。
【図３】カバーの断面図である。
【符号の説明】
【０００５】１  本のカバー
２  カバーの折込み
３  折込みの延長
【図１】
0003113307.tif 000003
【図２】
0003113307.tif 000004
【図３】
0003113307.tif 000005
【手続補正書】
【提出日】平成17年3月22日(2005.3.22)
【手続補正１】
【補正対象書類名】実用新案登録請求の範囲
【補正対象項目名】全文
【補正方法】変更
【補正の内容】
【実用新案登録請求の範囲】
【請求項１】
本の表紙のとじこみまで本のカバーの折込み２を延長３すると、カバーの折込み２部分のはしが、本の表紙の奥にはさむ形になるので、変型しないカバーの折込み２を、有した本のカバー。